(57)【要約】【課題】限定位置移動の機構を有し、しっかりロックできるカードコネクタのロック装置を提供する。【解決手段】カードコネクタは、底座１、上蓋２及び複数の電気端子３を含む。ロック装置は、底座１の突出爪部、滑り溝１１１及び上蓋２の枢軸２１で滑動回転機構を形成している。底座１の凹み部１２には突出部１３が形成され、凹み部１２の上半部に相対する処には凸部１２２が突出して、凸部１２２の下方には封じ塊１４が設けられている。上蓋２の側壁にはばね部２２が設けられ、上蓋２が底座１にロックされた後、ばね部２２は凸部１２２と突出部１３との間の凹み位置にしか作動しない。上蓋２の側壁にはフック口を介して弾性の押し付け部２５が形成されている。突出部１３、凸部１２２、封じ塊１４、ばね部２２及び弾性の押し付け部２５で形成された滑動回転機構で組み立てられている。【選択図】図２
0003127798.tif 000002
【実用新案登録請求の範囲】
【請求項１】
カードコネクタは、底座（１）、上蓋（２）及び複数の電気端子（３）を有し、
ロック装置は、底座（１）の突出爪部（１１）、滑り溝（１１１）及び上蓋（２）の枢軸（２１）で滑動回転機構を形成して、底座（１）の凹み部（１２）で形成された突出部（１３）、凸部（１２２）及び封じ塊（１４）と上蓋（２）に設けられたばね部（２２）と弾性の押し付け部（２５）で形成された滑動回転機構を有し、
当該ロック装置の凹み部（１２）には突出部（１３）が形成され、凹み部（１２）の上半部に相対する処には凸部（１２２）が突出して、凸部（１２２）の下方には封じ塊（１４）が設けられ、上蓋（２）の側壁にはばね部（２２）が設けられ、当該ばね部（２２）は、上蓋（２）が底座（１）にロックされた後、凸部（１２２）と突出部（１３）との間の凹み位置にしか作動しないという移動を制限する機構を形成し、上蓋（２）の側壁にはフック口を介して弾性の押し付け部（２５）が形成され、当該押し付け部（２５）は凸部（１２２）と封じ塊（１４）を結合するために押し当てる機能を備えることを特徴とするカードコネクタのロック装置。
【請求項２】
当該凹み部（１２）の端壁は、傾斜面であって、当該凹み部（１２）には突出部（１３）が形成され、これらの突出部（１３）は台形を呈することを特徴とする請求項１に記載のカードコネクタのロック装置。
【請求項３】
当該ばね部（２２）は、比較的平行するように内に凹み込んで、即ち、ばね部（２２）と他側のばね部（２２）との距離は側壁と他側の側壁との間の距離より小さいことを特徴とする請求項１に記載のカードコネクタのロック装置。
【請求項４】
当該押し付け部（２５）は、頂尖部が設けられていることを特徴とする請求項１に記載のカードコネクタのロック装置。
【考案の詳細な説明】
【技術分野】
【０００１】
本考案は、カードコネクタのロック装置に関し、特に、ＳＩＭカードコネクタのロック装置に関する。
【背景技術】
【０００２】
数年以来、科学技術の発展に従って、特に、電子技術の通信製品は、すでに望ましい発展時期となって、電子技術製品内の携帯電話としてますます小型化、美観性及び適用性等の方面に伴って発展して、従って、当該製品の電子部品の市場要求が強くなってきている。例えば、携帯電話に内蔵されるＳＩＭカードによる通信接続の要求ももっとだんだん厳格に高まることになる。しかしながら、現有技術のＳＩＭカードコネクタ（図１に示す）は、一般的に、絶縁本体４、上蓋５及び複数の電気端子４１で構成されて、当該絶縁本体４の両対応の側壁に凸柱４２及びフック部４３が設けられて、当該フック部４３は凹溝４４及び凸塊４５が設けられて、絶縁本体４にロックされた上蓋５は側部に対応する凸辺５１を有して、当該凸辺５１の一端に側アーム５２を有して、当該側アーム５２は前記凸柱４２と合わせる長孔５２１が設けられ、それによって、枢軸及び滑りの機能を実現することができる。凸辺５１のしかも前記フック部４３の位置にロック結構５３を設けて、当該ロック結構５３にフック部４３と合わせる挟み片５３１が設けられて、それによって、ロックする目的を実現することができる。これらのＳＩＭカードコネクタの設計は、この前に所定な先進性を持っているが、現在のＳＩＭカードコネクタの設計と比べて、欠陥が存在している。当該カードコネクタは、主に、前後に移動嵌合しているため、元に回復できない装置であって、従って、カードコネクタの上蓋は振動中に自動的にアンロックすることとなるかもしれない。更に、当該カードコネクタ両側のフック機構の設計は、前面的に定位できず、上蓋と底座をロックさせた後に一定の緩みが存在して、即ち、緊密に組合せる目的を達成することができない。
【考案の開示】
【考案が解決しようとする課題】
【０００３】
本考案の主な目的は、カードコネクタのロック装置を提供して、当該ロック装置は、底座の凹み部上にある突出部、凸部と上蓋のばね部及び押し付け部を合わせる作用で、限定位置移動の可能性としっかりロックする目的を実現する。
本考案のもう一つの目的は、カードコネクタのロック装置を提供して、当該ロック装置は、底座上の封じ塊及び上蓋の押し付け部の弾性抵触機能を介して、カードコネクタが振動する状態にあっても、自動的にアンロックする現象を形成できない。
【課題を解決するための手段】
【０００４】
本考案の目的を達するために、本考案の技術法案によると、当該カードコネクタは、底座、上蓋及び複数の電気端子を含む。その中、底座の対応する両側壁にそれぞれ突出爪部を形成して、突出爪部の近隣位置に滑り溝を設けて、これらの滑り溝は上蓋の枢軸としっかり押し付けて滑る回転機構となる。底座の対応する両側壁にそれぞれ凹み部を設けて、凹み部に相対する突出部を形成して、これらの突出部は台形を呈して凹み部に突き出る。凹み部に相対する上半部にまだ突き出る凸部があって、凸部の下方には封じ塊を設けて、本考案の実施例で、当該凹み部、凹み部に形成された突出部、凸部及び封じ塊は本実施例の重要な結構である。当該上蓋に対応する両側壁にそれぞれ枢軸を形成して、これらの枢軸は上記底座の滑り溝に合わせる機構である。当該側壁の中間位置には封じ塊を設けて、当該封じ塊は側壁より比較的平行して内に凹み込んで、前記封じ塊は、上蓋が底座とフックした後、凸部と突出部との間の凹み間隔内で何度も作動することしかできず、それによって、有効に上蓋を動かせる外力が大き過ぎるために底座から離れる現象を招くことを防止できる。当該封じ塊の左右両側にフック口によって弾性を有する押し付け部を形成して、押し付け部は凹み部の凸部の相互作用を結びつけて、上蓋をロック状態で上へ開けず、同時に、底座の押し付ける機能と合わせて、底座にフックされた上蓋を自動的に自由移動させず、即ち、カードコネクタが振動する状態にあっても、自動的にアンロックする現象を形成できない目的を実現する。
【考案を実施するための最良の形態】
【０００５】
図２と図３に示すように、本考案の一実施例によるカードコネクタのロック装置は、ＳＩＭカードコネクタのロック装置を提供して、当該カードコネクタは、底座１、上蓋２及び複数の電気端子３を含む。
当該底座１の一端には欠口部を形成して、当該底座１の非欠口部端部に対応する両側壁にそれぞれ突出爪部１１を形成して、当該突出爪部１１の近隣位置に滑り溝１１１を設けて、これらの滑り溝１１１は上蓋２の枢軸２１としっかり押し付けて回転機構となる。底座１の対応する両側壁にそれぞれ凹み部１２を設けて、しかも凹み部１２の両端壁は傾斜面１２１の態様を呈して、凹み部１２に相対する突出部１３を形成して、これらの突出部１３は台形を呈して凹み部１２に突き出て、凹み部１２を二分に分ける。凹み部１２に相対する上半部にまだ突き出る凸部１２２があって、しかも凸部１２２の下方には封じ塊１４を設ける。当該凹み部１２、凹み部１２に形成された突出部１３、凸部１２２及び封じ塊１４は、本実施例の重要な結構である。
【０００６】
当該上蓋２には対応する両側壁２３にそれぞれ枢軸２１を形成して、これらの枢軸２１は前記底座１の滑り溝１１１と合わせる機構である。当該側壁２３の中間にばね部２２を設けて、当該ばね部２２は比較的平行するように内に凹み込んで、即ち、ばね部２２と他側のばね部２２との距離は側壁と他側の側壁との間の距離より小さい。それは、当該ばね部２２の左右の両側にそれぞれフック口２４を設けて、当該フック口２４が弾性押し付け部２５のキーポイントを形成して、しかも弾性押し付け部２５に押し当てる時、上蓋２で内部の当該凸部１２２が覆い隠されて、フック口２４を通じて外部へ暴露することができるカード機構である（図６に示す）。
【０００７】
前記凹み部１２は、底座１が上蓋２とロックした後、所定の範囲内で前後滑動することができる合わせる機構であって、突出部１３が上蓋２の押し付け部２５と相互に押し当てることを介して、底座１とロックした後の上蓋２は凹み部１２の範囲でしか作動しない（図４、図５及び図７参照）。同時に、滑動している上蓋２では、凹み部１２の凸部１２２が弾性押し付け部２５との相互の作用を介して、上蓋２をロックする状態で上向へ開かせない（図６参照）。弾性を有する押し付け部２５の頂尖部２５１は封じ塊１４に押し当てられ（図５に示すように）、外力が押し付け部２５の頂尖部２５１に加えられて封じ塊１４を越える時、移動できる上蓋２は頂尖部２５１が封じ塊１４と押し当てる作用でカードロックの安定効果（図７に示すように）を達成することができて、それによって、底座１にロックした上蓋２を自由に移動させない。
【０００８】
前記ばね部２２では、上蓋２が底座１にロックされた後、当該ばね部２２がしっかり凸部１２２と突出部１３との間の凹み部１２位置を押して、同時に、当該ばね部２２は凸部１２２と突出部１３との間の壁面の制限で対応する凹み部１２の位置にしか作動しない（図５及び７参照）。それによって、有効に上蓋２を動かせる外力が大き過ぎるために底座１から離れる現象を招くことを防止できる。
上記の記載によって、これはただ一つの好ましい実施例であって、本考案の範囲を限定するわけにはならない。本考案の明細書及び図面を利用して類似の結構の変化を実施するのは、本考案にかかる精神を離れない限り、本考案による請求の範囲に含まれる。
【図面の簡単な説明】
【０００９】
【図１】従来のＳＩＭカードコネクタ技術の斜視図である。
【図２】本考案の一実施例によるカードコネクタのロック装置を示す斜視図である。
【図３】本考案の一実施例によるカードコネクタのロック装置を示す分解斜視図である。
【図４】本考案の一実施例によるカードコネクタのロック装置の動作状態を示す斜視図である。
【図５】本考案の一実施例によるカードコネクタのロック装置の他の視角の動作状態を示す斜視図である。
【図６】本考案の一実施例によるカードコネクタのロック装置のロック状態を示す斜視図である。
【図７】本考案の一実施例によるカードコネクタのロック装置の他の視角のロック状態を示す斜視図である。
【符号の説明】
【００１０】
１：底座、２：上蓋、４：絶縁本体、５：上蓋、１１：突出爪部、１２：凹み部、１３：突出部、１４：封じ塊、２１：枢軸、２２：ばね部、２３：側壁、２４：フック口、２５：押し付け部、４１：電子端子、４２：凸柱、４３：フック部、４４：凹溝、４５：凸塊、５１：凸辺、５２：側アーム、５３：ロック結構、１１１：滑り溝、１２１：傾斜面、１２２：凸部、２５１：頂尖部、５２１：長孔、５３１：挟み片
【図１】
0003127798.tif 000003
【図２】
0003127798.tif 000004
【図３】
0003127798.tif 000005
【図４】
0003127798.tif 000006
【図５】
0003127798.tif 000007
【図６】
0003127798.tif 000008
【図７】
0003127798.tif 000009